(57)【要約】【課題】上下及び中間の３つの収納部を備えた壁面収納装置において、収納部の隣接する部分では板材が重ならないようにして、材料や製造コスト等の低減を図る。【解決手段】壁面収納装置Ａは、上下に互いに間隔をあけて重なるように配置される上部及び下部ユニット３，５と、上部及び下部ユニット３，５間に配置され、左右幅が上部及び下部ユニット３，５よりも小さい１つの矩形箱状の中間ユニット８とを備えている。中間ユニット８は、上下端部がそれぞれ上部及び下部ユニット３，５に連結固定された左右の側板１０，１１を有し、中間ユニット８の天板は上部ユニット３の底板３ｄの一部で、また底板は下部ユニット５の天板５ｃの一部でそれぞれ構成されている。【選択図】図３
2020089469.tif 000002
【特許請求の範囲】
【請求項１】
壁面に固定支持される壁面収納装置であって、
上下に互いに間隔をあけて重なるように配置される上側及び下側収納部と、
上記上側及び下側収納部間に配置され、左右幅が上側及び下側収納部よりも小さい少なくとも１つの矩形箱状の中間収納部とを備え、
上記中間収納部は、上下端部がそれぞれ上記上側及び下側収納部に連結固定された左右の側板を有し、該中間収納部の天板及び底板はそれぞれ上記上側及び下側収納部の一部で構成されていることを特徴とする壁面収納装置。
【請求項２】
請求項１において、
中間収納部の側板は上側及び下側収納部にダボ構造により固定されていることを特徴とする壁面収納装置。
【請求項３】
請求項１又は２において、
１つの中間収納部が、上側及び下側収納部の左右一側部に配置されていることを特徴とする壁面収納装置。
【請求項４】
請求項１又は２において、
２つの中間収納部が、上側及び下側収納部の左右両側部に配置されていることを特徴とする壁面収納装置。
【請求項５】
請求項１〜４のいずれか１つにおいて、
上側及び下側収納部は箱体であることを特徴とする壁面収納装置。
【請求項６】
請求項１〜４のいずれか１つにおいて、
上側及び下側収納部の一方は板体であり、他方は箱体であることを特徴とする壁面収納装置。
【請求項７】
請求項１の壁面収納装置を壁面に施工する方法であって、
下側収納部を壁面に固定して、該下側収納部上に中間収納部の左右の側板を起立させて固定し、
上記左右の側板に背板を連結して、該背板を壁面に固定した後、
上記左右の側板の上端部に上側収納部を固定するとともに、該上側収納部を壁面に固定することを特徴とする壁面収納装置の施工方法。
【発明の詳細な説明】
【技術分野】
【０００１】
本発明は、壁面収納装置及びその施工方法に関するものである。
【背景技術】
【０００２】
従来、特許文献１に示されるように、複数枚の板材を棒状の枠材を介して直列平面状及び直交状に連結することで、板材で天板、底板、側板、仕切板を構成し、それらの間に複数の収納空間を区画した矩形箱状の収納装置が知られている。
【０００３】
また、特許文献２には、４枚の板状パーツを連接部材によって矩形箱状に連結したユニットエレメントを形成し、複数のユニットエレメントを同様に連接部材によって上下左右方向に連結したシステムキャビネットが提案されている。
【先行技術文献】
【特許文献】
【０００４】
【特許文献１】特開２００６−２０９７９号公報
【特許文献２】実用新案登録第３１５６３７０号
【発明の概要】
【発明が解決しようとする課題】
【０００５】
ところで、例えば建物の玄関等にその壁面に固定支持されて配置される収納装置としては、上部ユニット（天袋ユニット）及び下部ユニットと、それらの間に隣接して配置される中間ユニットとに分割されたものが一般的に用いられている。各ユニットは矩形箱状とされ、上部及び下部ユニットの左右幅は互いに略同じで、中間ユニットの左右幅は上部及び下部ユニットよりも小さくされており、収納装置は、上部及び下部ユニットの左右一側部に１つの中間ユニットが配置されてコ字型とされたもの、或いは上部及び下部ユニットの左右両側部にそれぞれ中間ユニットが配置されたロ字型とされたものが用いられる。
【０００６】
このような収納装置では、矩形状の箱体からなる３つのユニットを隣接して配置したときに、ユニット同士が隣接する部分で板材が重なってその厚さは２倍になる。この重なった板材は本来不要なものであり、材料や製造コスト等で無駄が生じていることになり、資源の有効利用の面では問題がある。
【０００７】
本発明は斯かる点に鑑みてなされたもので、その目的は、上記のように上下及び中間の３つの収納部を備えた収納装置の構造に工夫を加えることで、収納部の隣接する部分では板材が重ならないようにして、材料や製造コスト等の低減を図ることにある。
【課題を解決するための手段】
【０００８】
上記の目的を達成すべく、この発明では、中間収納部の左右幅が上側及び下側収納部よりも小さいことを利用し、その中間収納部の天板を上側収納部の一部で、また底板は下側収納部の一部でそれぞれ構成することにより、上側及び下側収納部の一部を中間収納部として兼用するようにした。
【０００９】
具体的には、第１の発明は、壁面に固定支持される壁面収納装置であって、上下に互いに間隔をあけて重なるように配置される上側及び下側収納部と、これら上側及び下側収納部間に配置され、左右幅が上側及び下側収納部よりも小さい少なくとも１つの矩形箱状の中間収納部とを備えている。そして、中間収納部は、上下端部がそれぞれ上記上側及び下側収納部に連結固定された左右の側板を有し、該中間収納部の天板及び底板はそれぞれ上記上側及び下側収納部の一部で構成されていることを特徴とする。
【００１０】
この第１の発明では、中間収納部は、上側及び下側収納部に連結固定された左右の側板を有するものの、その天板は上側収納部の一部で構成され、底板は下側収納部の一部で構成されているので、中間収納部の天板が上側収納部の一部として、また底板が下側収納部の一部としてそれぞれ兼用されることとなり、中間収納部と上側及び下側収納部とが接する部分で２枚の板材が重なった構造はなくなる。そのため、中間収納部は、少なくとも左右の側板だけで済み、板材の使用量を減らして材料や製造コスト等を低減することができる。また、板材の重なった部分がなくなるので、収納装置全体で板厚が同等になり、すっきりした外観見映えが得られる。
【００１１】
第２の発明は、第１の発明において、中間収納部の側板は上側及び下側収納部にダボ構造により固定されていることを特徴とする。
【００１２】
この第２の発明では、上側及び下側収納部に対する中間収納部の側板の固定がダボ構造により容易になる。
【００１３】
第３の発明は、第１又は第２の発明において、１つの中間収納部が、上側及び下側収納部の左右一側部に配置されていることを特徴とする。このことで、正面から見てコ字状の壁面収納装置が得られる。
【００１４】
第４の発明は、第１又は第２の発明において、２つの中間収納部が、上側及び下側収納部の左右両側部に配置されていることを特徴とする。このことで、正面から見てロ字状の壁面収納装置が得られる。
【００１５】
第５の発明は、第１〜第４の発明のいずれか１つにおいて、上側及び下側収納部は箱体であることを特徴とする。こうすれば、上側及び下側収納部と中間収納部との全てが箱体からなる壁面収納装置が得られる。
【００１６】
第６の発明は、第１〜第４の発明のいずれか１つにおいて、上側及び下側収納部の一方は板体であり、他方は箱体であることを特徴とする。このことで、上側及び下側収納部の一方は板体からなる棚で、上側及び下側収納部の他方と中間収納部とが箱体からなる壁面収納装置が得られる。
【００１７】
第７の発明は、第１の発明の壁面収納装置を壁面に施工する方法であって、下側収納部を壁面に固定して、該下側収納部上に中間収納部の左右の側板を起立させて固定し、これら左右の側板に背板を連結して、その背板を壁面に固定した後、左右の側板の上端部に上側収納部を固定するとともに、該上側収納部を壁面に固定することを特徴とする。
【００１８】
この第７の発明では、壁面収納装置の施工時、下側収納部が壁面に固定され、その下側収納部上に中間収納部の左右の側板が起立状に固定される。これら左右の側板に背板が連結され、その背板は壁面に固定される。その後、左右の側板の上端部に上側収納部が固定されるとともに、上側収納部が壁面に固定される。このことで、壁面収納装置を壁面に固定支持でき、中間ユニットの箱状の組立てが不要となって、施工効率が良くなり、作業コストも低くなる。
【発明の効果】
【００１９】
以上説明のように、本発明によると、上側及び下側収納部間に配置される矩形箱状の中間収納部の左右幅が上側及び下側収納部よりも小さい壁面収納装置に対し、その中間収納部の左右の側板を上側及び下側収納部に連結固定し、中間収納部の天板及び底板をそれぞれ上側及び下側収納部の一部で構成するようにしたことにより、中間収納部と上側及び下側収納部とが接する部分で２枚の板材が重なった構造をなくし、板材の使用量を減らして材料や製造コスト等の低減を図るとともに、収納装置全体で板厚を同等にして外観見映えの向上を図ることができる。
【図面の簡単な説明】
【００２０】
【図１】図１は、本発明の実施形態に係る壁面収納装置の全体構成を示す正面図である。
【図２】図２は、壁面収納装置の全体構成を示す側面図である。
【図３】図３は、壁面収納装置の装置本体を示す正面図である。
【図４】図４は、壁面収納装置の装置本体を示す分解斜視図である。
【図５】図５は、要部の拡大正面図である。
【発明を実施するための形態】
【００２１】
以下、本発明の実施形態を図面に基づいて詳細に説明する。以下の実施形態の説明は、本質的に例示に過ぎず、本発明、その適用物或いはその用途を制限することを意図するものでは全くない。
【００２２】
図１及び図２は本発明の実施形態に係る壁面収納装置Ａを示し、この壁面収納装置Ａは、例えば玄関や台所等の壁面Ｗに固定支持されて収納のために使用される。尚、以下の説明では、「左」は壁面Ｗに向かって左側を言い、「右」は壁面Ｗに向かって右側を言うこととする。
【００２３】
壁面収納装置Ａは、例えば木質材料からなる収納本体１と扉３１〜３６とを備えている。図３及び図４に示すように、収納本体１は、上側収納部としての上部ユニット３（天袋ユニット）及び下側収納部としての下部ユニット５と、中間収納部としての１つの中間ユニット８とを備え、これらはいずれも前後方向の奥行が同じで前側に開放された矩形状の箱体からなり、背面側（後側）で壁面Ｗに固定されるようになっている。
【００２４】
具体的には、上部ユニット３は左右方向に細長い箱体からなり、左右の側板３ａ，３ｂ、天板３ｃ及び底板３ｄを有する。この実施形態では、天板３ｃは両側板３ａ，３ｂに対し、左端部下面が左側の側板３ａの上端面に、また右端面が右側の側板３ｂの上端部左側面にそれぞれ当接した状態で固定されている。また、底板３ｄは両側板３ａ，３ｂに対し、左端部上面が左側の側板３ａの下端面に、また右端面が右側の側板３ｂの下端部左側面にそれぞれ当接した状態で固定されている。上部ユニット３の内部には、左右中央よりも左側寄り位置に上下方向の仕切板３ｆが配置され、仕切板３ｆの上端面は天板３ｃ下面に、また下端面は底板３ｄ上面にそれぞれ当接して固定されており、この仕切板３ｆにより上部ユニット３の内部空間が左右２つの空間に区画されている。さらに、２つの空間内の後端部にはそれぞれ背板３ｅ，３ｅが左右に分かれた状態で嵌め込まれ、各背板３ｅは周縁端面を側板３ａ，３ｂ、天板３ｃ、底板３ｄ及び仕切板３ｆに当接させた状態でそれらに一体的に固定されている。
【００２５】
一方、下部ユニット５も左右方向に細長い箱体からなり、その高さが上部ユニット３よりも２倍近く大きいだけであり、下部ユニット５の左右長さ及び奥行は上部ユニット３と同じとされている。すなわち、下部ユニット５も、左右の側板５ａ，５ｂ、天板５ｃ及び底板５ｄを有する。この実施形態では、天板５ｃは両側板５ａ，５ｂに対し、左端部下面が左側の側板５ａの上端面に、また右端部下面が右側の側板５ｂの上端面にそれぞれ当接した状態で固定されている。また、底板５ｄは両側板５ａ，５ｂに対し、左端面が左側の側板５ａの下端部右側面に、また右端面が右側の側板５ｂの下端部左側面にそれぞれ当接した状態で固定されている。下部ユニット５の内部には、左右中央よりも左側寄り位置に上下方向の仕切板５ｆが配置され、仕切板５ｆの上端部は天板５ｃ下面に、また下端部は底板５ｄ上面にそれぞれ固定されており、この仕切板５ｆにより下部ユニット５の内部空間が左右２つの空間に区画されている。さらに、２つの空間内の後端部にはそれぞれ背板５ｅ，５ｅが左右に分かれた状態で嵌め込まれ、各背板５ｅは周縁端面を側板５ａ，５ｂ、天板５ｃ、底板５ｄ及び仕切板５ｆに当接させた状態でそれらに一体的に固定されている。
【００２６】
そして、下部ユニット５は上部ユニット３の真下位置に上下に間隔をあけて重なるように配置され、上部ユニット３の左右の側板３ａ，３ｂの真下位置に下部ユニット５の左右の側板５ａ，５ｂが、また上部ユニット３の仕切板３ｆの真下位置に下部ユニット５の仕切板５ｆがそれぞれ位置している。
【００２７】
尚、上部及び下部ユニット３，５における側板３ａ，３ｂ，５ａ，５ｂ、天板３ｃ，５ｃ、底板３ｄ，５ｄ、仕切板３ｆ，５ｆ及び背板３ｅ，５ｅの接続構造は上記説明の例に限定されない。
【００２８】
上記中間ユニット８も見掛け上は基本的に矩形箱状のもので、上記上部及び下部ユニット３，５間の左側部に配置され、この中間ユニット８の左右幅（左右長さ）は上部及び下部ユニット３，５よりも小さくなっている。
【００２９】
そして、図５にも示すように、中間ユニット８は、上下端部がそれぞれ上部及び下部ユニット３，５に連結固定された左右の側板１０，１１を有する。具体的には、中間ユニット８の左側の側板１０は、上端部が上部ユニット３の左側の側板３ａと底板３ｄを介して連続し、下端部が下部ユニット５の左側の側板５ａと天板５ｃを介して連続するように配置され、この左側の側板１０の上端部は、上部ユニット３の底板３ｄの左端部に、また下端部は、下部ユニット５の天板５ｃの左端部にそれぞれダボ構造により連結固定されている。ダボ構造とは、図示しないが、互いに対向して当接する面の一方にダボ穴を形成し、他方にダボを突設するか、或いは当接する面の両方にダボ穴とダボとを互いに嵌合可能に設けて、そのタボをダボ穴に嵌合することで、両者を継ぎ合わせる構造である。
【００３０】
これに対し、中間ユニット８の右側の側板１１も、上部ユニット３の底板３ｄと下部ユニット５の天板５ｃとの間に配置され、この右側の側板１１の上端部は上部ユニット３の底板３ｄに、また下端部は下部ユニット５の天板５ｃにそれぞれダボ構造により連結固定されている。この右側の側板１１は、上部及び下部ユニット３，５の仕切板３ｆ，５ｆの位置よりも少し（例えば２２ｍｍ）だけ左側に位置しており、このことで、右側の側板１１と上部及び下部ユニット３，５の仕切板３ｆ，５ｆとは、前側から見て直線状に連続していない配置となっている。
【００３１】
以上の構造により、中間ユニット８は天板及び底板を有する矩形箱状の構造であるが、その天板は上部ユニット３の一部である、底板３ｄの左側寄り部分で、また底板は下部ユニット５の一部である、天板５ｃの左側寄り部分でそれぞれ構成されている。換言すれば、中間ユニット８は、上下端部がそれぞれ上部及び下部ユニット３，５に連結固定された左右の側板１０，１１と、上部ユニット３の底板３ｄの左側寄り部分（上部ユニット３の一部）で構成された天板と、下部ユニット５の天板５ｃの左側寄り部分（下部ユニット５の一部）で構成された底板とを有する。
【００３２】
中間ユニット８はさらに背板１２を有する。図５に示すように、この背板１２は、その左右端部が左右の側板１０，１１後端部の内面（対向面）に形成した上下方向の嵌合溝（図示せず）に嵌合されて接着剤により接着され、さらに例えば上下中央位置に配置した左右のＬ字金具１５，１５によって連結固定されている。背板１２後側の壁面Ｗには図外の横桟が配置されており、各Ｌ字金具１５の一側部をビス（図示せず）により側板１０，１１に螺合して取付固定するとともに、Ｌ字金具１５の他側部、背板１２及び横桟を貫通するビス（図示せず）を壁面Ｗに螺合することで、背板１２を側板１０，１１と共に壁面Ｗに固定するようになっている。
【００３３】
尚、背板１２の側板１０，１１への固定構造は、上記の他、側板１０，１１後端面の内側に段差状の切欠きを形成して、その切欠きに背板１２の左右端部を側板１０，１１後面と背板１０，１１後端面とが面一になるように嵌め込んで接着剤により接着固定してもよく、それに加えて、上記と同様にＬ字金具１５を用いて背板１２を側板１０，１１と共に壁面Ｗに固定するようにしてもよい。
【００３４】
また、本発明は、中間ユニット８が背板１２のないものも含んでおり、その場合は側板１０，１１をＬ字金具１５によって壁面Ｗに固定するか、或いは側板１０，１１を壁面Ｗに固定せずに上部及び下部ユニット３，５のみに連結した構造とすればよい。
【００３５】
このように、壁面収納装置Ａは、１つの中間ユニット８が、上部及び下部ユニット３，５の左側部間に配置されていて、正面から見てコ字状（詳しくはコ字を左右逆にした形状）の収納装置となる。
【００３６】
尚、本実施形態では、上部及び下部ユニット３，５の側板３ａ，３ｂ，５ａ，５ｂ、天板３ｃ，５ｃ、底板３ｄ，５ｄ、背板３ｅ，５ｅ、仕切板３ｆ，５ｆ、並びに中間ユニット８の側板１０，１１はいずれも同じ厚さ（例えば１５ｍｍ）の板材が用いられ、中間ユニット８の背板１２はそれよりも薄い板材が用いられている。
【００３７】
また、図示しないが、上部ユニット３の側板３ａ，３ｂ及び仕切板３ｆと、下部ユニット５の側板５ａ，５ｂ及び仕切板５ｆと、中間ユニット８の側板１０，１１とにはそれぞれ高さ位置の異なる多段のダボ穴が形成されており、この同じ高さ位置のダボ穴にダボを嵌合して、そのダボ上に空間内に位置する棚板を支持できるようになっている。
【００３８】
上記扉３１〜３６は、上下複数の丁番２８，２８（図では仮想線にて示す）で揺動可能に収納本体１に支持された第１〜第６の６枚の揺動型の扉からなる。第１扉３１は、右端部が上部ユニット３の右側側板３ｂに上下２つの丁番２８，２８により揺動可能に支持されて、上部ユニット３の仕切壁３ｆ右側の空間における右半部の前側開口を開閉するようになっている。第２扉３２は、左端部が上部ユニット３の仕切板３ｆに上下２つの丁番２８，２８により揺動可能に支持されて、上部ユニット３の仕切壁３ｆ右側の空間における左半部の前側開口を開閉する。第３扉３３は、右端部が下部ユニット５の右側側板５ｂに上下２つの丁番２８，２８により揺動可能に支持されて、下部ユニット５の仕切壁５ｆ右側の空間における右半部の前側開口を開閉する。第４扉３４は、左端部が下部ユニット５の仕切板５ｆに上下２つの丁番２８，２８により揺動可能に支持されて、下部ユニット５の仕切壁５ｆ右側の空間における左半部の前側開口を開閉する。第１扉３１及び第２扉３２は、閉じ位置で下端部が上部ユニット３の底板３ｄ下面よりも僅かに下側に、また第３扉３３及び第４扉３４の上端部は、閉じ位置で下部ユニット５の天板５ｃ上面よりも僅かに上側にそれぞれ突出しており、各扉３１〜３４を開くときには、この突出部に手を掛けて開くようになっている。
【００３９】
これに対し、図５にも示すように、第５扉３５は、上部ユニット３の仕切板３ｆの左側部分から中間ユニット８の下端寄り位置まで上部ユニット３及び中間ユニット８に跨がるように延び、その左端部が上部ユニット３の左側側板３ａと中間ユニット８の左側の側板１０とに上下２つの丁番２８，２８により揺動可能に支持されており、この第５扉３５により、上部ユニット３の仕切壁３ｆ左側の空間の開口と、中間ユニット８の上側大半の空間の前側開口とを開閉するようにしている。
【００４０】
また、第６扉３６は、下部ユニット５の仕切板５ｆの左側部分から中間ユニット８の下端寄り位置（第５扉３５の下端部近傍位置）まで下部ユニット５及び中間ユニット８に跨がるように延び、その左端部が中間ユニット８の左側の側板１０と下部ユニット５の左側側板５ａとに上下２つの丁番２８，２８により揺動可能に支持されており、この第６扉３６により、下部ユニット５の仕切壁５ｆ左側の空間の開口と、中間ユニット８の下端部の空間の前側開口とを開閉するようになっている。
【００４１】
そして、第５扉３５及び第６扉３６の幅は互いに同じで、中間ユニット８の左側側板１０の左側面と右側側板１１の右側面との間の距離よりも僅かに大きく、第５扉３５及び第６扉３６は、いずれもその閉じ位置では、揺動端である右端部が中間ユニット８の右側側板１１の右面よりも僅かな突出量Ｐ（例えばＰ＝５ｍｍ）だけ右側に突出していて、突出部３７を有しており、各扉３５，３６を開くときには、この突出部３７に手を掛けて開くようになっている。
【００４２】
尚、上述したように、上部及び下部ユニット３，５の仕切板３ｆ，５ｆと中間ユニット８の右側側板１１との間に左右方向のずれがあるので、このずれに起因して、第５扉３５及び第６扉３６の右端部が中間ユニット８の右側側板よりも突出する。それに対し、第５扉３５の右端部は上部ユニット３の仕切板３ｆよりも僅かに左側に位置し、第６扉３６の右端部も下部ユニット５の仕切板５ｆよりも僅かに左側に位置している。
【００４３】
次に、上記壁面収納装置Ａを壁面Ｗに固定支持して施工する方法について説明する。
【００４４】
予め、収納本体１の上部及び下部ユニット３，５は箱状に組み立てておく。これに対し、中間ユニット８は施工の際に組み立てる。
【００４５】
まず、取り付けようとする壁面Ｗの例えば下部に下部ユニット５を背板５ｅにて固定する。次いで、この下部ユニット５の天板５ｃ上面の左端位置（左側の側板５ａ上の位置）に中間ユニット８の左側側板１０を、また天板５ｃ上面の左端寄りの所定位置に中間ユニット８の右側側板１１をそれぞれ起立させて固定する。このとき、各側板１０，１１の下端部はダボ構造により天板５ｃに固定する。また、側板１０，１１は、各々に形成されている嵌合溝が後側になるように起立させる。
【００４６】
この後、中間ユニット８の左右の側板１０，１１の後端部にＬ字金具１５，１５を介して背板１２を連結固定する。具体的には、この背板１２は、左右の端部が左右の側板１０，１１の嵌合溝に嵌挿されるように上側から下に向かって差し込む。この背板１２を下端部が下部ユニット５の天板５ｃに当接するまで完全に差し込み、差込みが終わると、Ｌ字金具１５，１５により背板１２を側板１０，１１と共に壁面Ｗに固定する。
【００４７】
次いで、中間ユニット８の左右の側板１０，１１上に上部ユニット３を持ち上げて、その上部ユニット３の底板３ｄ下面の左端位置（左側の側板３ａの位置）に中間ユニット８の左側側板１０の上端部を、また上部ユニット３の底板３ｄの左端寄りの所定位置に中間ユニット８の右側側板１１の上端部をそれぞれダボ構造により固定する。
【００４８】
最後に、この上部ユニット３を背板３ｅにて壁面Ｗの上部に固定した後、６枚の扉３１〜３５を個別に順に丁番２８，２８により取付支持すればよい。
【００４９】
以上のような施工方法により、壁面収納装置Ａを壁面Ｗに固定支持できる。こうすれば、施工時に中間ユニット８を箱状に組み立てる手間が不要となって、施工効率が良くなり、作業コストも低くなるメリットがある。
【００５０】
尚、上記の施工方法の他、以下の方法で施工することもできる。すなわち、上記の施工方法と同様に、下部ユニット５を壁面Ｗに固定した後、その上の左端部に中間ユニット８の左側の側板１０を起立させて固定する。一方、中間ユニット８の右側の側板１１については、下部ユニット５の上面の右端部に起立させて仮止め状態で固定する。この後、上部ユニット３を持ち上げて中間ユニット８の左右の側板１０，１１上に載置し、その上部ユニット３を左右の両端部で左右の側板１０，１１により支持した状態で、上部ユニット３の下面の左端部に左側の側板１０の上端部を固定するとともに、上部ユニット３を壁面Ｗに固定する。その後、上記仮止め状態にある右側の側板１１を左端寄りの本来の位置に平行移動させ、その上下端部を上部ユニット３の底板３ｄ及び下部ユニット５の天板５ｃに固定する。しかる後に扉３１〜３６を取り付ける。この場合、１人の作業者であってもより一層容易に施工することができる。
【００５１】
したがって、この実施形態では、壁面収納装置Ａの収納本体１は、上部ユニット３（天袋ユニット）、下部ユニット５及び１つの中間ユニット８を備え、その中間ユニット８は、上部及び下部ユニット３，５に連結固定された左右の側板１０，１１を有するが、中間ユニット８の天板は上部ユニット３の底板３ｄの左端部で構成され、底板は下部ユニット５の天板５ｃの左端部で構成されている。すなわち、中間ユニット８の天板が上部ユニット３の底板３ｄの左端部と兼用され、底板が下部ユニット５の天板５ｃの左端部と兼用される。このことから、中間ユニット８と上部及び下部ユニット３，５とが接する部分で２枚の板材が重なった構造はなくなる。そのため、中間ユニット８は、左右の側板１０，１１及び背板１２だけで済み、その分、板材の使用量を減らして材料や製造コスト等を低減することができる。また、板材の重なった部分がなくなるので、収納装置Ａ全体で板厚が同等になり、扉３１〜３６が開いた状態ですっきりした外観見映えが得られる。
【００５２】
そのとき、中間ユニット８の背板１２は、左右の側板１０，１１にＬ字金具１５，１５や接着剤により連結固定されているので、左右の側板１０，１１に背板１２を簡単な構造で容易に連結することができる。
【００５３】
しかも、中間ユニット８の左右の側板１０，１１は上部及び下部ユニット３，５にダボ構造により固定されているので、上部及び下部ユニット３，５に対する中間ユニット８の側板１０，１１の固定がダボ構造によって容易になる。
【００５４】
そして、上記中間ユニット８は、その天板及び底板が上部及び下部ユニット３，５で兼用されて、実質的に側板１０，１１及び背板１２のみからなるものであるので、例えば室内の天井高さ等に合わせて壁面収納装置Ａ全体の高さを変更するときには、その側板１０，１１及び背板１２の各高さ（上下長さ）を変えるだけで済み、箱状の中間ユニットに比べて、壁面収納装置Ａの高さの変更を容易に行うことができる。そのとき、壁面収納装置Ａの高さに応じて扉３５，３６の高さも変更する必要がある。
【００５５】
また、本実施形態では、上記の扉構造により、扉３１〜３６を閉めたときと開いたときとの形態が変化し、図１に示す閉じ状態から扉３１〜３６をあけたときに、図３に示すように、特に第５扉３５及び第６扉３６の開き位置によって、中間ユニット８の天板としての上部ユニット３の底板３ｄと、中間ユニット８の底板としての下部ユニット５の天板５ｃとが現れ、実際の収納部の配置が扉３５，３６の位置によって想像される配置とは異なるという意外性を期待することができる。
【００５６】
しかも、第５扉３５及び第６扉３６の境界位置は、中間ユニット８の下端寄り位置に位置しているので、このことでも同様の効果が得られる。
【００５７】
（その他の実施形態）
上記実施形態に係る壁面収納装置Ａは、収納本体１と扉３１〜３６とを備えているが、扉３１〜３６がなくて収納本体１のみであってもよい。その場合、収納本体１が本願発明でいう壁面収納装置に相当する。
【００５８】
また、上記実施形態では、扉３１〜３６に手掛かり部としての突出部を設けているが、本発明は、扉３１〜３６に手掛かり用のハンドルや引手金具、切欠きや凹部を設ける構造、或いはプッシュオープン金具を取り付けた構造を含むものとする。
【００５９】
また、上記実施形態では、中間ユニット８の右側側板１１を上部ユニット３及び下部ユニット５の仕切板３ｆ，５ｆから左側にずれた位置に配置しているが、本発明では、仕切板３ｆ，５ｆに左右方向に対応する位置（仕切板３ｆの真下でかつ仕切板５ｆの真上の位置）に設けてもよい。
【００６０】
さらに、上記実施形態では、１つの中間ユニット８が上部及び下部ユニット３，５の左側部に配置されているが、この中間ユニット８を上部及び下部ユニット３，５の右側部に配置するようにしてもよく、その場合も壁面収納装置はコ字状となる。
【００６１】
また、中間ユニット８を１つから２つに増やし、その２つの中間ユニット８，８を上部及び下部ユニット３，５の左右両側部に配置してもよい。２つの中間ユニット８，８の各々の構造は上記実施形態と同じである。この場合には、正面から見てロ字状の壁面収納装置が得られる。
【００６２】
以上のコ字状やロ字状の壁面収納装置は、施工する箇所に応じて適宜選択すればよい。
【００６３】
さらに、上記実施形態では、上部及び下部ユニット３，５を共に箱体としているが、上部及び下部ユニット３，５の一方を板体とし、他方は箱体としてもよい。或いは、上部及び下部ユニット３，５の双方を板体としてもよい。その場合、板体は棚として用いられ、その板体の一部に中間ユニット８の側板１０，１１の上下端部が固定される。
【００６４】
本発明では、上記いずれの場合でも、中間ユニット８は矩形箱状であり、その左右幅が上部及び下部ユニット３，５よりも小さいことが必要である。
【産業上の利用可能性】
【００６５】
本発明は、板材の使用量を減らして材料や製造コスト等の低減を図り、外観見映えの向上を図ることができるので、極めて有用で産業上の利用可能性が高い。
【符号の説明】
【００６６】
Ｆ  壁面
Ａ  壁面収納装置
１  収納本体
３  上部ユニット（上側収納部）
３ｄ  底板
３ｆ  仕切板
５  下部ユニット（下側収納部）
５ｃ  天板
５ｆ  仕切板
８  中間ユニット（中間収納部）
１０  左側の側板
１１  右側の側板
１２  背板
３１  第１扉
３２  第２扉
３３  第３扉
３４  第４扉
３５  第５扉
３６  第６扉
３７  突出部
Ｐ  突出量
【図１】
2020089469.tif 000003
【図２】
2020089469.tif 000004
【図３】
2020089469.tif 000005
【図４】
2020089469.tif 000006
【図５】
2020089469.tif 000007
【手続補正書】
【提出日】令和1年8月7日(2019.8.7)
【手続補正１】
【補正対象書類名】明細書
【補正対象項目名】全文
【補正方法】変更
【補正の内容】
【発明の詳細な説明】
【技術分野】
【０００１】
本発明は、壁面収納装置及びその施工方法に関するものである。
【背景技術】
【０００２】
従来、特許文献１に示されるように、複数枚の板材を棒状の枠材を介して直列平面状及び直交状に連結することで、板材で天板、底板、側板、仕切板を構成し、それらの間に複数の収納空間を区画した矩形箱状の収納装置が知られている。
【０００３】
また、特許文献２には、４枚の板状パーツを連接部材によって矩形箱状に連結したユニットエレメントを形成し、複数のユニットエレメントを同様に連接部材によって上下左右方向に連結したシステムキャビネットが提案されている。
【先行技術文献】
【特許文献】
【０００４】
【特許文献１】特開２００６−２０９７９号公報
【特許文献２】実用新案登録第３１５６３７０号
【発明の概要】
【発明が解決しようとする課題】
【０００５】
ところで、例えば建物の玄関等にその壁面に固定支持されて配置される収納装置としては、上部ユニット（天袋ユニット）及び下部ユニットと、それらの間に隣接して配置される中間ユニットとに分割されたものが一般的に用いられている。各ユニットは矩形箱状とされ、上部及び下部ユニットの左右幅は互いに略同じで、中間ユニットの左右幅は上部及び下部ユニットよりも小さくされており、収納装置は、上部及び下部ユニットの左右一側部に１つの中間ユニットが配置されてコ字型とされたもの、或いは上部及び下部ユニットの左右両側部にそれぞれ中間ユニットが配置されたロ字型とされたものが用いられる。
【０００６】
このような収納装置では、矩形状の箱体からなる３つのユニットを隣接して配置したときに、ユニット同士が隣接する部分で板材が重なってその厚さは２倍になる。この重なった板材は本来不要なものであり、材料や製造コスト等で無駄が生じていることになり、資源の有効利用の面では問題がある。
【０００７】
本発明は斯かる点に鑑みてなされたもので、その目的は、上記のように上下及び中間の３つの収納部を備えた収納装置の構造に工夫を加えることで、収納部の隣接する部分では板材が重ならないようにして、材料や製造コスト等の低減を図ることにある。
【課題を解決するための手段】
【０００８】
上記の目的を達成すべく、この発明では、中間収納部の左右幅が上側及び下側収納部よりも小さいことを利用し、その中間収納部の天板を上側収納部の一部で、また底板は下側収納部の一部でそれぞれ構成することにより、上側及び下側収納部の一部を中間収納部として兼用するようにした。
【０００９】
具体的には、第１の発明は、壁面に固定支持される壁面収納装置であって、上下に互いに間隔をあけて重なるように配置される上側及び下側収納部と、これら上側及び下側収納部間に配置され、左右幅が上側及び下側収納部よりも小さい少なくとも１つの矩形箱状の中間収納部とを備えている。そして、少なくとも上記上側収納部は、左右の側板と天板及び底板とを有する箱体からなり、中間収納部は、上下端部がそれぞれ上記上側及び下側収納部に連結固定された左右の側板を有し、該中間収納部の天板及び底板はそれぞれ上記上側及び下側収納部の一部で構成されている。そして、上記上側収納部の少なくとも一方の側板と上記中間収納部の一方の側板とが左右方向で同じ位置にあり、上記中間収納部の側板と左右方向で同じ位置にある上記上側収納部の側板の下端面に上記底板の上面が当接し、該底板の下面に中間収納部の左右の側板の上端面が当接していることを特徴とする。
【００１０】
第２の発明は、壁面に固定支持される壁面収納装置であって、上下に互いに間隔をあけて重なるように配置される箱体からなる上側及び下側収納部と、上側及び下側収納部間に配置され、左右幅が上側及び下側収納部よりも小さい少なくとも１つの矩形箱状の中間収納部とを備えている。そして、上記中間収納部は、上下端部がそれぞれ上記上側及び下側収納部に連結固定された左右の側板を有し、該中間収納部の天板及び底板はそれぞれ上記上側及び下側収納部の一部で構成され、上記上側収納部と中間収納部の一部とに亘って配置される扉と、上記下側収納部と中間収納部の残部とに亘って配置される扉とを備えていることを特徴とする。
【００１１】
この第１及び第２の発明では、中間収納部は、上側及び下側収納部に連結固定された左右の側板を有するものの、その天板は上側収納部の一部で構成され、底板は下側収納部の一部で構成されているので、中間収納部の天板が上側収納部の一部として、また底板が下側収納部の一部としてそれぞれ兼用されることとなり、中間収納部と上側及び下側収納部とが接する部分で２枚の板材が重なった構造はなくなる。そのため、中間収納部は、少なくとも左右の側板だけで済み、板材の使用量を減らして材料や製造コスト等を低減することができる。また、板材の重なった部分がなくなるので、収納装置全体で板厚が同等になり、すっきりした外観見映えが得られる。
【００１２】
第３の発明は、第１又は第２の発明において、中間収納部の側板は上側及び下側収納部にダボ構造により固定されていることを特徴とする。
【００１３】
この第３の発明では、上側及び下側収納部に対する中間収納部の側板の固定がダボ構造により容易になる。
【００１４】
第４の発明は、第１〜第３の発明のいずれか１つにおいて、１つの中間収納部が、上側及び下側収納部の左右一側部に配置されていることを特徴とする。このことで、正面から見てコ字状の壁面収納装置が得られる。
【００１５】
第５の発明は、第１〜第３の発明のいずれか１つにおいて、２つの中間収納部が、上側及び下側収納部の左右両側部に配置されていることを特徴とする。このことで、正面から見てロ字状の壁面収納装置が得られる。
【００１６】
第６の発明は、第１、第３〜第５の発明のいずれか１つにおいて、下側収納部は箱体であることを特徴とする。こうすれば、上側及び下側収納部と中間収納部との全てが箱体からなる壁面収納装置が得られる。
【００１７】
第７の発明は、第１、第３〜第５の発明のいずれか１つにおいて、下側収納部は板体であることを特徴とする。このことで、下側収納部は板体からなる棚で、上側収納部と中間収納部とが箱体からなる壁面収納装置が得られる。
【００１８】
第８の発明は、壁面収納装置を壁面に施工する方法であって、壁面収納装置は、上下に互いに間隔をあけて重なるように配置される上側及び下側収納部と、上側及び下側収納部間に配置され、左右幅が上側及び下側収納部よりも小さい少なくとも１つの矩形箱状の中間収納部とを備え、中間収納部は、上下端部がそれぞれ上記上側及び下側収納部に連結固定された左右の側板を有し、該中間収納部の天板及び底板はそれぞれ上記上側及び下側収納部の一部で構成されている。そして、施工方法は、下側収納部を壁面に固定して、該下側収納部上に中間収納部の左右の側板を起立させて固定し、これら左右の側板に背板を連結して、その背板を壁面に固定した後、左右の側板の上端部に上側収納部を固定するとともに、該上側収納部を壁面に固定することを特徴とする。
【００１９】
この第８の発明では、壁面収納装置の施工時、下側収納部が壁面に固定され、その下側収納部上に中間収納部の左右の側板が起立状に固定される。これら左右の側板に背板が連結され、その背板は壁面に固定される。その後、左右の側板の上端部に上側収納部が固定されるとともに、上側収納部が壁面に固定される。このことで、壁面収納装置を壁面に固定支持でき、中間ユニットの箱状の組立てが不要となって、施工効率が良くなり、作業コストも低くなる。
【発明の効果】
【００２０】
以上説明のように、本発明によると、上側及び下側収納部間に配置される矩形箱状の中間収納部の左右幅が上側及び下側収納部よりも小さい壁面収納装置に対し、その中間収納部の左右の側板を上側及び下側収納部に連結固定し、中間収納部の天板及び底板をそれぞれ上側及び下側収納部の一部で構成するようにしたことにより、中間収納部と上側及び下側収納部とが接する部分で２枚の板材が重なった構造をなくし、板材の使用量を減らして材料や製造コスト等の低減を図るとともに、収納装置全体で板厚を同等にして外観見映えの向上を図ることができる。
【図面の簡単な説明】
【００２１】
【図１】図１は、本発明の実施形態に係る壁面収納装置の全体構成を示す正面図である。
【図２】図２は、壁面収納装置の全体構成を示す側面図である。
【図３】図３は、壁面収納装置の装置本体を示す正面図である。
【図４】図４は、壁面収納装置の装置本体を示す分解斜視図である。
【図５】図５は、要部の拡大正面図である。
【発明を実施するための形態】
【００２２】
以下、本発明の実施形態を図面に基づいて詳細に説明する。以下の実施形態の説明は、本質的に例示に過ぎず、本発明、その適用物或いはその用途を制限することを意図するものでは全くない。
【００２３】
図１及び図２は本発明の実施形態に係る壁面収納装置Ａを示し、この壁面収納装置Ａは、例えば玄関や台所等の壁面Ｗに固定支持されて収納のために使用される。尚、以下の説明では、「左」は壁面Ｗに向かって左側を言い、「右」は壁面Ｗに向かって右側を言うこととする。
【００２４】
壁面収納装置Ａは、例えば木質材料からなる収納本体１と扉３１〜３６とを備えている。図３及び図４に示すように、収納本体１は、上側収納部としての上部ユニット３（天袋ユニット）及び下側収納部としての下部ユニット５と、中間収納部としての１つの中間ユニット８とを備え、これらはいずれも前後方向の奥行が同じで前側に開放された矩形状の箱体からなり、背面側（後側）で壁面Ｗに固定されるようになっている。
【００２５】
具体的には、上部ユニット３は左右方向に細長い箱体からなり、左右の側板３ａ，３ｂ、天板３ｃ及び底板３ｄを有する。この実施形態では、天板３ｃは両側板３ａ，３ｂに対し、左端部下面が左側の側板３ａの上端面に、また右端面が右側の側板３ｂの上端部左側面にそれぞれ当接した状態で固定されている。また、底板３ｄは両側板３ａ，３ｂに対し、左端部上面が左側の側板３ａの下端面に、また右端面が右側の側板３ｂの下端部左側面にそれぞれ当接した状態で固定されている。上部ユニット３の内部には、左右中央よりも左側寄り位置に上下方向の仕切板３ｆが配置され、仕切板３ｆの上端面は天板３ｃ下面に、また下端面は底板３ｄ上面にそれぞれ当接して固定されており、この仕切板３ｆにより上部ユニット３の内部空間が左右２つの空間に区画されている。さらに、２つの空間内の後端部にはそれぞれ背板３ｅ，３ｅが左右に分かれた状態で嵌め込まれ、各背板３ｅは周縁端面を側板３ａ，３ｂ、天板３ｃ、底板３ｄ及び仕切板３ｆに当接させた状態でそれらに一体的に固定されている。
【００２６】
一方、下部ユニット５も左右方向に細長い箱体からなり、その高さが上部ユニット３よりも２倍近く大きいだけであり、下部ユニット５の左右長さ及び奥行は上部ユニット３と同じとされている。すなわち、下部ユニット５も、左右の側板５ａ，５ｂ、天板５ｃ及び底板５ｄを有する。この実施形態では、天板５ｃは両側板５ａ，５ｂに対し、左端部下面が左側の側板５ａの上端面に、また右端部下面が右側の側板５ｂの上端面にそれぞれ当接した状態で固定されている。また、底板５ｄは両側板５ａ，５ｂに対し、左端面が左側の側板５ａの下端部右側面に、また右端面が右側の側板５ｂの下端部左側面にそれぞれ当接した状態で固定されている。下部ユニット５の内部には、左右中央よりも左側寄り位置に上下方向の仕切板５ｆが配置され、仕切板５ｆの上端部は天板５ｃ下面に、また下端部は底板５ｄ上面にそれぞれ固定されており、この仕切板５ｆにより下部ユニット５の内部空間が左右２つの空間に区画されている。さらに、２つの空間内の後端部にはそれぞれ背板５ｅ，５ｅが左右に分かれた状態で嵌め込まれ、各背板５ｅは周縁端面を側板５ａ，５ｂ、天板５ｃ、底板５ｄ及び仕切板５ｆに当接させた状態でそれらに一体的に固定されている。
【００２７】
そして、下部ユニット５は上部ユニット３の真下位置に上下に間隔をあけて重なるように配置され、上部ユニット３の左右の側板３ａ，３ｂの真下位置に下部ユニット５の左右の側板５ａ，５ｂが、また上部ユニット３の仕切板３ｆの真下位置に下部ユニット５の仕切板５ｆがそれぞれ位置している。
【００２８】
尚、上部及び下部ユニット３，５における側板３ａ，３ｂ，５ａ，５ｂ、天板３ｃ，５ｃ、底板３ｄ，５ｄ、仕切板３ｆ，５ｆ及び背板３ｅ，５ｅの接続構造は上記説明の例に限定されない。
【００２９】
上記中間ユニット８も見掛け上は基本的に矩形箱状のもので、上記上部及び下部ユニット３，５間の左側部に配置され、この中間ユニット８の左右幅（左右長さ）は上部及び下部ユニット３，５よりも小さくなっている。
【００３０】
そして、図５にも示すように、中間ユニット８は、上下端部がそれぞれ上部及び下部ユニット３，５に連結固定された左右の側板１０，１１を有する。具体的には、中間ユニット８の左側の側板１０は、上端部が上部ユニット３の左側の側板３ａと底板３ｄを介して連続し、下端部が下部ユニット５の左側の側板５ａと天板５ｃを介して連続するように配置され、この左側の側板１０の上端部は、上部ユニット３の底板３ｄの左端部に、また下端部は、下部ユニット５の天板５ｃの左端部にそれぞれダボ構造により連結固定されている。ダボ構造とは、図示しないが、互いに対向して当接する面の一方にダボ穴を形成し、他方にダボを突設するか、或いは当接する面の両方にダボ穴とダボとを互いに嵌合可能に設けて、そのタボをダボ穴に嵌合することで、両者を継ぎ合わせる構造である。
【００３１】
これに対し、中間ユニット８の右側の側板１１も、上部ユニット３の底板３ｄと下部ユニット５の天板５ｃとの間に配置され、この右側の側板１１の上端部は上部ユニット３の底板３ｄに、また下端部は下部ユニット５の天板５ｃにそれぞれダボ構造により連結固定されている。この右側の側板１１は、上部及び下部ユニット３，５の仕切板３ｆ，５ｆの位置よりも少し（例えば２２ｍｍ）だけ左側に位置しており、このことで、右側の側板１１と上部及び下部ユニット３，５の仕切板３ｆ，５ｆとは、前側から見て直線状に連続していない配置となっている。
【００３２】
以上の構造により、中間ユニット８は天板及び底板を有する矩形箱状の構造であるが、その天板は上部ユニット３の一部である、底板３ｄの左側寄り部分で、また底板は下部ユニット５の一部である、天板５ｃの左側寄り部分でそれぞれ構成されている。換言すれば、中間ユニット８は、上下端部がそれぞれ上部及び下部ユニット３，５に連結固定された左右の側板１０，１１と、上部ユニット３の底板３ｄの左側寄り部分（上部ユニット３の一部）で構成された天板と、下部ユニット５の天板５ｃの左側寄り部分（下部ユニット５の一部）で構成された底板とを有する。
【００３３】
中間ユニット８はさらに背板１２を有する。図５に示すように、この背板１２は、その左右端部が左右の側板１０，１１後端部の内面（対向面）に形成した上下方向の嵌合溝（図示せず）に嵌合されて接着剤により接着され、さらに例えば上下中央位置に配置した左右のＬ字金具１５，１５によって連結固定されている。背板１２後側の壁面Ｗには図外の横桟が配置されており、各Ｌ字金具１５の一側部をビス（図示せず）により側板１０，１１に螺合して取付固定するとともに、Ｌ字金具１５の他側部、背板１２及び横桟を貫通するビス（図示せず）を壁面Ｗに螺合することで、背板１２を側板１０，１１と共に壁面Ｗに固定するようになっている。
【００３４】
尚、背板１２の側板１０，１１への固定構造は、上記の他、側板１０，１１後端面の内側に段差状の切欠きを形成して、その切欠きに背板１２の左右端部を側板１０，１１後面と背板１０，１１後端面とが面一になるように嵌め込んで接着剤により接着固定してもよく、それに加えて、上記と同様にＬ字金具１５を用いて背板１２を側板１０，１１と共に壁面Ｗに固定するようにしてもよい。
【００３５】
また、本発明は、中間ユニット８が背板１２のないものも含んでおり、その場合は側板１０，１１をＬ字金具１５によって壁面Ｗに固定するか、或いは側板１０，１１を壁面Ｗに固定せずに上部及び下部ユニット３，５のみに連結した構造とすればよい。
【００３６】
このように、壁面収納装置Ａは、１つの中間ユニット８が、上部及び下部ユニット３，５の左側部間に配置されていて、正面から見てコ字状（詳しくはコ字を左右逆にした形状）の収納装置となる。
【００３７】
尚、本実施形態では、上部及び下部ユニット３，５の側板３ａ，３ｂ，５ａ，５ｂ、天板３ｃ，５ｃ、底板３ｄ，５ｄ、背板３ｅ，５ｅ、仕切板３ｆ，５ｆ、並びに中間ユニット８の側板１０，１１はいずれも同じ厚さ（例えば１５ｍｍ）の板材が用いられ、中間ユニット８の背板１２はそれよりも薄い板材が用いられている。
【００３８】
また、図示しないが、上部ユニット３の側板３ａ，３ｂ及び仕切板３ｆと、下部ユニット５の側板５ａ，５ｂ及び仕切板５ｆと、中間ユニット８の側板１０，１１とにはそれぞれ高さ位置の異なる多段のダボ穴が形成されており、この同じ高さ位置のダボ穴にダボを嵌合して、そのダボ上に空間内に位置する棚板を支持できるようになっている。
【００３９】
上記扉３１〜３６は、上下複数の丁番２８，２８（図では仮想線にて示す）で揺動可能に収納本体１に支持された第１〜第６の６枚の揺動型の扉からなる。第１扉３１は、右端部が上部ユニット３の右側側板３ｂに上下２つの丁番２８，２８により揺動可能に支持されて、上部ユニット３の仕切壁３ｆ右側の空間における右半部の前側開口を開閉するようになっている。第２扉３２は、左端部が上部ユニット３の仕切板３ｆに上下２つの丁番２８，２８により揺動可能に支持されて、上部ユニット３の仕切壁３ｆ右側の空間における左半部の前側開口を開閉する。第３扉３３は、右端部が下部ユニット５の右側側板５ｂに上下２つの丁番２８，２８により揺動可能に支持されて、下部ユニット５の仕切壁５ｆ右側の空間における右半部の前側開口を開閉する。第４扉３４は、左端部が下部ユニット５の仕切板５ｆに上下２つの丁番２８，２８により揺動可能に支持されて、下部ユニット５の仕切壁５ｆ右側の空間における左半部の前側開口を開閉する。第１扉３１及び第２扉３２は、閉じ位置で下端部が上部ユニット３の底板３ｄ下面よりも僅かに下側に、また第３扉３３及び第４扉３４の上端部は、閉じ位置で下部ユニット５の天板５ｃ上面よりも僅かに上側にそれぞれ突出しており、各扉３１〜３４を開くときには、この突出部に手を掛けて開くようになっている。
【００４０】
これに対し、図５にも示すように、第５扉３５は、上部ユニット３の仕切板３ｆの左側部分から中間ユニット８の下端寄り位置まで上部ユニット３及び中間ユニット８に跨がるように延び、その左端部が上部ユニット３の左側側板３ａと中間ユニット８の左側の側板１０とに上下２つの丁番２８，２８により揺動可能に支持されており、この第５扉３５により、上部ユニット３の仕切壁３ｆ左側の空間の開口と、中間ユニット８の上側大半の空間の前側開口とを開閉するようにしている。
【００４１】
また、第６扉３６は、下部ユニット５の仕切板５ｆの左側部分から中間ユニット８の下端寄り位置（第５扉３５の下端部近傍位置）まで下部ユニット５及び中間ユニット８に跨がるように延び、その左端部が中間ユニット８の左側の側板１０と下部ユニット５の左側側板５ａとに上下２つの丁番２８，２８により揺動可能に支持されており、この第６扉３６により、下部ユニット５の仕切壁５ｆ左側の空間の開口と、中間ユニット８の下端部の空間の前側開口とを開閉するようになっている。
【００４２】
そして、第５扉３５及び第６扉３６の幅は互いに同じで、中間ユニット８の左側側板１０の左側面と右側側板１１の右側面との間の距離よりも僅かに大きく、第５扉３５及び第６扉３６は、いずれもその閉じ位置では、揺動端である右端部が中間ユニット８の右側側板１１の右面よりも僅かな突出量Ｐ（例えばＰ＝５ｍｍ）だけ右側に突出していて、突出部３７を有しており、各扉３５，３６を開くときには、この突出部３７に手を掛けて開くようになっている。
【００４３】
尚、上述したように、上部及び下部ユニット３，５の仕切板３ｆ，５ｆと中間ユニット８の右側側板１１との間に左右方向のずれがあるので、このずれに起因して、第５扉３５及び第６扉３６の右端部が中間ユニット８の右側側板よりも突出する。それに対し、第５扉３５の右端部は上部ユニット３の仕切板３ｆよりも僅かに左側に位置し、第６扉３６の右端部も下部ユニット５の仕切板５ｆよりも僅かに左側に位置している。
【００４４】
次に、上記壁面収納装置Ａを壁面Ｗに固定支持して施工する方法について説明する。
【００４５】
予め、収納本体１の上部及び下部ユニット３，５は箱状に組み立てておく。これに対し、中間ユニット８は施工の際に組み立てる。
【００４６】
まず、取り付けようとする壁面Ｗの例えば下部に下部ユニット５を背板５ｅにて固定する。次いで、この下部ユニット５の天板５ｃ上面の左端位置（左側の側板５ａ上の位置）に中間ユニット８の左側側板１０を、また天板５ｃ上面の左端寄りの所定位置に中間ユニット８の右側側板１１をそれぞれ起立させて固定する。このとき、各側板１０，１１の下端部はダボ構造により天板５ｃに固定する。また、側板１０，１１は、各々に形成されている嵌合溝が後側になるように起立させる。
【００４７】
この後、中間ユニット８の左右の側板１０，１１の後端部にＬ字金具１５，１５を介して背板１２を連結固定する。具体的には、この背板１２は、左右の端部が左右の側板１０，１１の嵌合溝に嵌挿されるように上側から下に向かって差し込む。この背板１２を下端部が下部ユニット５の天板５ｃに当接するまで完全に差し込み、差込みが終わると、Ｌ字金具１５，１５により背板１２を側板１０，１１と共に壁面Ｗに固定する。
【００４８】
次いで、中間ユニット８の左右の側板１０，１１上に上部ユニット３を持ち上げて、その上部ユニット３の底板３ｄ下面の左端位置（左側の側板３ａの位置）に中間ユニット８の左側側板１０の上端部を、また上部ユニット３の底板３ｄの左端寄りの所定位置に中間ユニット８の右側側板１１の上端部をそれぞれダボ構造により固定する。
【００４９】
最後に、この上部ユニット３を背板３ｅにて壁面Ｗの上部に固定した後、６枚の扉３１〜３５を個別に順に丁番２８，２８により取付支持すればよい。
【００５０】
以上のような施工方法により、壁面収納装置Ａを壁面Ｗに固定支持できる。こうすれば、施工時に中間ユニット８を箱状に組み立てる手間が不要となって、施工効率が良くなり、作業コストも低くなるメリットがある。
【００５１】
尚、上記の施工方法の他、以下の方法で施工することもできる。すなわち、上記の施工方法と同様に、下部ユニット５を壁面Ｗに固定した後、その上の左端部に中間ユニット８の左側の側板１０を起立させて固定する。一方、中間ユニット８の右側の側板１１については、下部ユニット５の上面の右端部に起立させて仮止め状態で固定する。この後、上部ユニット３を持ち上げて中間ユニット８の左右の側板１０，１１上に載置し、その上部ユニット３を左右の両端部で左右の側板１０，１１により支持した状態で、上部ユニット３の下面の左端部に左側の側板１０の上端部を固定するとともに、上部ユニット３を壁面Ｗに固定する。その後、上記仮止め状態にある右側の側板１１を左端寄りの本来の位置に平行移動させ、その上下端部を上部ユニット３の底板３ｄ及び下部ユニット５の天板５ｃに固定する。しかる後に扉３１〜３６を取り付ける。この場合、１人の作業者であってもより一層容易に施工することができる。
【００５２】
したがって、この実施形態では、壁面収納装置Ａの収納本体１は、上部ユニット３（天袋ユニット）、下部ユニット５及び１つの中間ユニット８を備え、その中間ユニット８は、上部及び下部ユニット３，５に連結固定された左右の側板１０，１１を有するが、中間ユニット８の天板は上部ユニット３の底板３ｄの左端部で構成され、底板は下部ユニット５の天板５ｃの左端部で構成されている。すなわち、中間ユニット８の天板が上部ユニット３の底板３ｄの左端部と兼用され、底板が下部ユニット５の天板５ｃの左端部と兼用される。このことから、中間ユニット８と上部及び下部ユニット３，５とが接する部分で２枚の板材が重なった構造はなくなる。そのため、中間ユニット８は、左右の側板１０，１１及び背板１２だけで済み、その分、板材の使用量を減らして材料や製造コスト等を低減することができる。また、板材の重なった部分がなくなるので、収納装置Ａ全体で板厚が同等になり、扉３１〜３６が開いた状態ですっきりした外観見映えが得られる。
【００５３】
そのとき、中間ユニット８の背板１２は、左右の側板１０，１１にＬ字金具１５，１５や接着剤により連結固定されているので、左右の側板１０，１１に背板１２を簡単な構造で容易に連結することができる。
【００５４】
しかも、中間ユニット８の左右の側板１０，１１は上部及び下部ユニット３，５にダボ構造により固定されているので、上部及び下部ユニット３，５に対する中間ユニット８の側板１０，１１の固定がダボ構造によって容易になる。
【００５５】
そして、上記中間ユニット８は、その天板及び底板が上部及び下部ユニット３，５で兼用されて、実質的に側板１０，１１及び背板１２のみからなるものであるので、例えば室内の天井高さ等に合わせて壁面収納装置Ａ全体の高さを変更するときには、その側板１０，１１及び背板１２の各高さ（上下長さ）を変えるだけで済み、箱状の中間ユニットに比べて、壁面収納装置Ａの高さの変更を容易に行うことができる。そのとき、壁面収納装置Ａの高さに応じて扉３５，３６の高さも変更する必要がある。
【００５６】
また、本実施形態では、上記の扉構造により、扉３１〜３６を閉めたときと開いたときとの形態が変化し、図１に示す閉じ状態から扉３１〜３６をあけたときに、図３に示すように、特に第５扉３５及び第６扉３６の開き位置によって、中間ユニット８の天板としての上部ユニット３の底板３ｄと、中間ユニット８の底板としての下部ユニット５の天板５ｃとが現れ、実際の収納部の配置が扉３５，３６の位置によって想像される配置とは異なるという意外性を期待することができる。
【００５７】
しかも、第５扉３５及び第６扉３６の境界位置は、中間ユニット８の下端寄り位置に位置しているので、このことでも同様の効果が得られる。
【００５８】
（その他の実施形態）
上記実施形態に係る壁面収納装置Ａは、収納本体１と扉３１〜３６とを備えているが、扉３１〜３６がなくて収納本体１のみであってもよい。その場合、収納本体１が本願発明でいう壁面収納装置に相当する。
【００５９】
また、上記実施形態では、扉３１〜３６に手掛かり部としての突出部を設けているが、本発明は、扉３１〜３６に手掛かり用のハンドルや引手金具、切欠きや凹部を設ける構造、或いはプッシュオープン金具を取り付けた構造を含むものとする。
【００６０】
また、上記実施形態では、中間ユニット８の右側側板１１を上部ユニット３及び下部ユニット５の仕切板３ｆ，５ｆから左側にずれた位置に配置しているが、本発明では、仕切板３ｆ，５ｆに左右方向に対応する位置（仕切板３ｆの真下でかつ仕切板５ｆの真上の位置）に設けてもよい。
【００６１】
さらに、上記実施形態では、１つの中間ユニット８が上部及び下部ユニット３，５の左側部に配置されているが、この中間ユニット８を上部及び下部ユニット３，５の右側部に配置するようにしてもよく、その場合も壁面収納装置はコ字状となる。
【００６２】
また、中間ユニット８を１つから２つに増やし、その２つの中間ユニット８，８を上部及び下部ユニット３，５の左右両側部に配置してもよい。２つの中間ユニット８，８の各々の構造は上記実施形態と同じである。この場合には、正面から見てロ字状の壁面収納装置が得られる。
【００６３】
以上のコ字状やロ字状の壁面収納装置は、施工する箇所に応じて適宜選択すればよい。
【００６４】
さらに、上記実施形態では、上部及び下部ユニット３，５を共に箱体としているが、下部ユニット５を板体としてもよい。その場合、板体は棚として用いられ、その板体の一部に中間ユニット８の側板１０，１１の上下端部が固定される。
【００６５】
本発明では、上記いずれの場合でも、中間ユニット８は矩形箱状であり、その左右幅が上部及び下部ユニット３，５よりも小さいことが必要である。
【産業上の利用可能性】
【００６６】
本発明は、板材の使用量を減らして材料や製造コスト等の低減を図り、外観見映えの向上を図ることができるので、極めて有用で産業上の利用可能性が高い。
【符号の説明】
【００６７】
Ｆ  壁面
Ａ  壁面収納装置
１  収納本体
３  上部ユニット（上側収納部）
３ｄ  底板
３ｆ  仕切板
５  下部ユニット（下側収納部）
５ｃ  天板
５ｆ  仕切板
８  中間ユニット（中間収納部）
１０  左側の側板
１１  右側の側板
１２  背板
３１  第１扉
３２  第２扉
３３  第３扉
３４  第４扉
３５  第５扉
３６  第６扉
３７  突出部
Ｐ  突出量
【手続補正２】
【補正対象書類名】特許請求の範囲
【補正対象項目名】全文
【補正方法】変更
【補正の内容】
【特許請求の範囲】
【請求項１】
壁面に固定支持される壁面収納装置であって、
上下に互いに間隔をあけて重なるように配置される上側及び下側収納部と、
上記上側及び下側収納部間に配置され、左右幅が上側及び下側収納部よりも小さい少なくとも１つの矩形箱状の中間収納部とを備え、
少なくとも上記上側収納部は、左右の側板と天板及び底板とを有する箱体からなり、
上記中間収納部は、上下端部がそれぞれ上記上側及び下側収納部に連結固定された左右の側板を有し、該中間収納部の天板及び底板はそれぞれ上記上側及び下側収納部の一部で構成され、
上記上側収納部の少なくとも一方の側板と上記中間収納部の一方の側板とが左右方向で同じ位置にあり、
上記中間収納部の側板と左右方向で同じ位置にある上記上側収納部の側板の下端面に上記底板の上面が当接し、該底板の下面に中間収納部の左右の側板の上端面が当接していることを特徴とする壁面収納装置。
【請求項２】
壁面に固定支持される壁面収納装置であって、
上下に互いに間隔をあけて重なるように配置される箱体からなる上側及び下側収納部と、
上記上側及び下側収納部間に配置され、左右幅が上側及び下側収納部よりも小さい少なくとも１つの矩形箱状の中間収納部とを備え、
上記中間収納部は、上下端部がそれぞれ上記上側及び下側収納部に連結固定された左右の側板を有し、該中間収納部の天板及び底板はそれぞれ上記上側及び下側収納部の一部で構成され、
上記上側収納部と中間収納部の一部とに亘って配置される扉と、上記下側収納部と中間収納部の残部とに亘って配置される扉とを備えていることを特徴とする壁面収納装置。
【請求項３】
請求項１又は２において、
中間収納部の側板は上側及び下側収納部にダボ構造により固定されていることを特徴とする壁面収納装置。
【請求項４】
請求項１〜３のいずれか１つにおいて、
１つの中間収納部が、上側及び下側収納部の左右一側部に配置されていることを特徴とする壁面収納装置。
【請求項５】
請求項１〜３のいずれか１つにおいて、
２つの中間収納部が、上側及び下側収納部の左右両側部に配置されていることを特徴とする壁面収納装置。
【請求項６】
請求項１、３〜５のいずれか１つにおいて、
下側収納部は箱体であることを特徴とする壁面収納装置。
【請求項７】
請求項１、３〜５のいずれか１つにおいて、
下側収納部は板体であることを特徴とする壁面収納装置。
【請求項８】
上下に互いに間隔をあけて重なるように配置される上側及び下側収納部と、
上記上側及び下側収納部間に配置され、左右幅が上側及び下側収納部よりも小さい少なくとも１つの矩形箱状の中間収納部とを備え、
上記中間収納部は、上下端部がそれぞれ上記上側及び下側収納部に連結固定された左右の側板を有し、該中間収納部の天板及び底板はそれぞれ上記上側及び下側収納部の一部で構成されている壁面収納装置を壁面に施工する方法であって、
下側収納部を壁面に固定して、該下側収納部上に中間収納部の左右の側板を起立させて固定し、
上記左右の側板に背板を連結して、該背板を壁面に固定した後、
上記左右の側板の上端部に上側収納部を固定するとともに、該上側収納部を壁面に固定することを特徴とする壁面収納装置の施工方法。